(57)【特許請求の範囲】
【請求項１】
長手方向に配置された相対向する二つのシートの定着装置Ａ、Ａと、各シートの定着装置Ａ，Ａを結合するジョイントＢとからなり、シートの定着装置Ａは開口部幅狭の第一の蟻溝フレーム２と、第一の蟻溝フレーム２の斜め下方に連設した開口部幅狭の第二の蟻溝フレーム３と、第一の蟻溝フレーム２の水平な底部２ａの背面又は背面近傍に第二の蟻溝フレーム３とは逆方向に起立する樋フレーム２ｃと、第一，第二の蟻溝フレーム２，３の一方または両方に嵌合する弾性な係止線条４とで構成され、ジョイントＢはジョイント本体７と、ジョイント本体７の外周側に形成した外側通路６ａ，６ｂと、同じくジョイント本体７の中央に形成されて上記外側通路６ａ，６ｂに連通する中央通路６ｃと、ジョイント本体７の上部に形成されて上記樋フレーム２ｃの下部と第二の蟻溝フレーム３の下部とをそれぞれ抱持する第一，第二の抱持部９，１０とで構成され、対向する各樋フレーム２ｃの端部と第二の蟻溝フレーム３の端部とを上記中央通路６ｃに臨む位置まで差込んでそれぞれ第一、第二の抱持部９，１０で抱持し、樋フレームでシート内面に結露した水滴を回収すると共にジョイントを介して回収した水滴を外部に排出させることを特徴とする結露回収装置。
【請求項２】
樋フレームが断面Ｌ状に形成されている請求項１記載の結露回収装置
【請求項３】
第一，第二の抱持部９，１０はそれぞれ水平な底部９ａ，１０ａとその外端に一体に設けた彎曲した抱持片９ｂ，１０ｂとで構成され、各底部９ａ，１０ａに中央通路６ｃを形成している請求項１又は2に記載の結露回収装置。
【発明の詳細な説明】
【０００１】
【発明の属する技術分野】
本発明は、多数のアーチ状のパイプなどで骨組みを構成した温室たるパイプハウスにおいて、骨組み上に展張した合成樹脂製の透明シートを定着させることができると共に、シートに結露した水滴を回収し、外部に放水できる結露回収装置に関する。
【０００２】
【従来の技術】
一般に、栽培用の温室とされるパイプハウスは、地上に多数のアーチ状パイプを起立し、各パイプ間に横方向に向けてシートの定着装置を架設し、アーチ状パイプの上方に展張された合成樹脂製の透明シートがシートの定着装置を介して定着されている。
【０００３】
このシートの定着装置は、ビニペット（登録商標）と称して業界で広く知られ、これは、水平な低部と,低部の両側から内方に起立する一対の支持フレームからなる開口部幅狭の蟻溝フレームと、この蟻溝フレーム内に嵌合する弾性な係止線条とで構成され、蟻溝フレーム内にシートを係止線条で押し込んで定着させるものである。
【０００４】
このようなシート用の定着装置を用いた近年のパイプハウスでは、シートの内面に結露した水滴の処理が要求されているが、これは、シートに付着した水滴がハウス内の土壌に落下すると植物の根腐され、病気の原因、生育不良、温室不良を起こすため、水滴が土壌上に落下する前に回収して、ハウス外に排出するという要求である。
【０００５】
このために、最近は、シートの定着装置に結露の回収装置が取り付けられるようになっており、例えば、特許第３００４５６５号公報に開示されているものが開発されされている。
【０００６】
この装置によれば、第一および第二の蟻溝フレームを上下二段に有する定着装置であって、通常第二の蟻溝フレーム自体がハウスの屋根等の上方側に配置されてこれを結露回収用の樋として使用されるものである。
【０００７】
他方ハウスの側面等の垂直位置で第二の蟻溝フレームを下方側に配置して使用する場合があり、この場合には、上段となる第一の蟻溝フレームの水平底部背面と、下段となる第二の蟻溝フレームの支持フレーム上面とによって形成されるＶ溝を樋として利用することによって、結露を回収し排水するようにしている。
【０００８】
【発明が解決しようとする課題】
しかしながら、上記従来のシートの定着装置およびこれを用いた結露回収装置では、機能上特に欠陥があるわけではないが次のような不具合がある。
【０００９】
即ち、第二の蟻溝フレームがハウスの屋根側において、上方側に配置されるような取付構造にすると、上記したように上方のシートの背面から流れる結露水はこの第二の蟻溝フレームを樋として利用して回収できるが、同じ位置で第二の蟻溝フレームを下方側に配置する取付構造にすると、樋が無く結露水は第一の蟻溝フレームの背面に当たりそのままハウス内に落下してしまう不具合がある。
【００１０】
他方、第二の蟻溝フレームを下方側に配置しても結露水を回収できる場合は、上記したようにハウスの側面である垂直位置にシートの定着装置を配置して下段の第二の蟻溝フレームを換気用のシートの定着フレームとして使用する場合いである。
【００１１】
この場合には、第一の蟻溝フレームの水平底部背面と、第二の蟻溝フレームの支持フレーム上面とによって形成されるＶ溝を樋として利用して結露を回収しそのまま外部に排出できる。
【００１２】
しかし、ハウスの屋根側のような位置であって、アーチ状のパイプの傾斜したゆるやかな部分に同じように取り付けると、第一，第二の蟻溝フレームが垂直に起立できず、その結果上記のＶ溝が傾斜して地上側に向き、樋としての機能を有しないこととなる。
【００１３】
そこで、本発明の目的は、第一，第二の蟻溝フレームを上下どちらに向けて配置しても確実に結露水を回収出来る結露回収装置を提供することである。
【００１４】
【課題を解決するための手段】
上記の目的を達成する為、本発明の手段は、長手方向に配置された相対向する二つのシートの定着装置と、各シートの定着装置を結合するジョイントとからなり、シートの定着装置は開口部幅狭の第一の蟻溝フレームと、第一の蟻溝フレームの斜め下方に連設した開口部幅狭の第二の蟻溝フレームと、第一の蟻溝フレームの水平な底部の背面又は背面近傍に第二の蟻溝フレームとは逆方向に起立する樋フレームと、第一，第二の蟻溝フレームの一方または両方に嵌合する弾性な係止線条とで構成され、ジョイントはジョイント本体と、ジョイント本体の外周側に形成した外側通路と、同じくジョイント本体の中央に形成されて上記外側通路に連通する中央通路と、ジョイント本体の上部に形成されて上記樋フレームの下部と第二の蟻溝フレームの下部とをそれぞれ抱持する第一，第二の抱持部とで構成され、対向する各樋フレームの端部と第二の蟻溝フレームの端部とを上記中央通路に臨む位置まで差込んでそれぞれ第一、第二の抱持部で抱持し、樋フレームでシート内面に結露した水滴を回収すると共にジョイントを介して回収した水滴を外部に排出させることを特徴とするものである。
【００１５】
この場合に、樋フレームは、断面Ｌ状に形成されているのが好ましい。
【００１６】
同じく、第一，第二の抱持部はそれぞれ水平な底部とその外端に一体に設けた彎曲した抱持片とで構成され、各底部に中央通路を形成しているのが好ましい。
【００１７】
【発明の実施の形態】
以下、本発明の一実施の形態について説明する。
本発明の一実施の形態に係る結露回収装置は、図３，図４に示すように、長手方向に配置された相対向する二つのシートの定着装置Ａ，Ａと、各シートの定着装置Ａ，Ａを結合するジョイントＢとからなるものである。
シートの定着装置Ａは開口部幅狭の第一の蟻溝フレーム２と、第一の蟻溝フレーム２の斜め下方に連設した開口部幅狭の第二の蟻溝フレーム３と、第一の蟻溝フレーム２の水平な底部２ａの背面又は背面近傍に第二の蟻溝フレーム３とは逆方向に起立する樋フレーム２ｃと、第一，第二の蟻溝フレーム２，３の一方または両方に嵌合する弾性な係止線条４とで構成されている。
更に、ジョイントＢはジョイント本体７と、ジョイント本体７の外周側に形成した外側通路６ａ，６ｂと、同じくジョイント本体７の中央に形成されて上記外側通路６ａ，６ｂに連通する中央通路６ｃと、ジョイント本体７の上部に形成されて上記樋フレーム２ｃの下部と第二の蟻溝フレーム３の下部とをそれぞれ抱持する第一，第二の抱持部９，１０とで構成されている。
そして、対向する各樋フレーム２ｃの端部と第二の蟻溝フレーム３の端部とを上記中央通路６ｃに臨む位置まで差込んでそれぞれ第一，第二の抱持部９，１０で抱持し、樋フレーム２ｃでシート内面に結露した水滴を回収すると共にジョイントＢを介して回収した水滴を外部に排出させるものである。
以下更に詳しく説明する。
【００１８】
図１は、シートの定着装置の要部側面図、図２は、シートの定着装置の斜視図、図３は、結露回収装置を取り付けた状態の説明図、図４は、シートを一時的に巻き上げた状態の説明図である。
【００１９】
図1乃至図４において、シートの定着装置Ａは、地上に起立する骨組みたるアーチ状パイプ１に直交して架設され、ジョイント等の取り付け部材８を介してアーチ状パイプ１に結合されている。
【００２０】
シートの定着装置Ａは、開口部幅狭の第一の蟻溝フレーム２と、第一の蟻溝フレーム２の斜め下方に連設した開口部幅狭の第二の蟻溝フレーム３と、第一，第二の蟻溝フレーム２、３の一方または両方に嵌合する弾性な係止線条４とで構成されている。
【００２１】
第一および第二の蟻溝フレーム２、３の一方または両方には、合成樹脂製の透明シート５が定着される。
【００２２】
第一の蟻溝フレーム２には骨組み上の屋根側に展張されたシート５の端部が定着され、第二の蟻溝フレーム３には換気用のシート５の端部が定着されている。
【００２３】
第一の蟻溝フレーム２の背面又は背面近傍には第二の蟻溝フレーム３とは逆方向に起立する断面Ｌ字状の樋フレーム２ｃが形成され、この樋フレームが図１の状態ではシート５の内面に結露した水滴を回収、排水する樋として使用される。
【００２４】
一方、図１，図３および図４の状態では第一の蟻溝フレーム２が、屋根側のシート展張用として上方側になって使用されている場合を示しているが、これを逆に取り付けて第一の蟻溝フレーム２を下方側に配置してシート開閉用の定着フレームとして使用される場合もある。
【００２５】
この場合には従来と同じく第二の蟻溝フレーム３が、シート５の内面に結露した水滴を回収、排水する樋として使用される。
【００２６】
第一および第二の蟻溝フレーム２、３は、それぞれ水平な底部２ａ、３ａと、この水平な底部２ａ、３ａの両端から、斜め内方に起立する一対の右側第一のシート支持片２ｂ、３ｂと、同じく一対の左側第一のシート支持片２ｂ、３ｂと、第一の蟻溝フレーム２の背面又は背面近傍に形成された上述のＬ字状に起立する曲げフレーム２ｃとでそれぞれ構成されている。
【００２７】
そして、第二の蟻溝フレーム３は、右側第一のシート支持片であって、一方の上端を介して第一の蟻溝フレーム２の下方端部、例えば水平な底部２ａの端部に一体に結合されている。
【００２８】
シートの定着装置Ａは、シート展張用に単独で使用され、垂直方向のみならず傾斜面にも使用できるほか、上述の通り、シート５の内面に結露した水滴を回収、排水する結露回収装置としても利用できる。
【００２９】
即ち、結露回収装置は、シートの定着装置Ａと、このシートの定着装置Ａの下部に着脱自在に結合したジョイントＢと、ジョイントＢに結合された排水ホースＣとで構成される。
【００３０】
ジョイントＢは、外部に開口する外側通路６ａ、６ｂと中央通路６ｃを備えたジョイント本体７と、ジョイント本体７の上部に一体に設けられて第一の蟻溝フレーム２及び樋フレーム２Ｃの下部と第二の蟻溝フレーム３の下部とをそれぞれ抱持する第一、第二の抱持部９，１０と、第一、第二の抱持部９，１０にそれぞれ形成されて、前記通路６ｃに連通する中央の開口部１２とで構成されている。
【００３１】
ジョイント本体７には、通路６ａに通じるホースＣの接続部１３が、端部に一体に形成されている。
【００３２】
第一の抱持部９は、水平な底部９ａとその外端に一体に設けた彎曲した抱持片９ｂ、９ｂとで構成され、水平な底部９ａに中央の通路６ｃたる開口部が形成されている。
【００３３】
第二の抱持部１０は、同じく水平な底部１０ａと、その両端に設けた一対の抱持片１０ｂ、１０ｂとで構成され、水平な底部１０ａに通路６ｃたる開口部が形成されている。
【００３４】
第一の蟻溝フレーム２のシート支持片２ｂには、フック片を備えた取付金具１４が係止され、この取付金具１４には紐１５が連結されている。
【００３５】
紐１５の下端は下方の固定棒１６に固定され、錘１７によって紐１５は下方に引っ張られている。
【００３６】
換気用のパイプ１８には、シート５の下端ガ巻かれており、シート５を開放してハウス内を換気するために、適宜巻き取ることができる。
【００３７】
このようにしてパイプ１８に巻き取られたシート５は、巻き取られた外周を紐１５によって押さえ込まれ、ハウスを開放した状態に維持する。
【００３８】
つぎに、シートの定着装置の使用態様について説明するが、図４に示すように、パイプハウスは、地上に多数のアーチ状のパイプ１を起立し、このアーチ状のパイプ１とクロスする方向に、取り付け部材８を介してシートの定着装置Ａが架設される。
【００３９】
図１，図３及び図４に示す例では、第一の蟻溝フレーム２に弾性な係止線条４を介して屋根側に展張されたシート５を定着してあり、同様に第二の蟻溝フレーム３には換気用のシート５を定着してある。
【００４０】
図３及び図４に示すように、第一，第二の蟻溝フレーム２、３は、それぞれジョイントＢを構成する第一，第二の抱持部９、１０を介して、ジョイント本体７に接続されている。
【００４１】
この場合に第一、第二の蟻溝フレーム２，３の各端部間には、ジョイントＢ側の通路６ｃに通じる通路たる隙間が形成される。
【００４２】
このことによって、ハウス使用中に上方のシート５の内面に水滴が結露され、この水滴がある重さになると、シート５の内面をつたわって、Ｌ字状の樋フレーム２ｃ内に流れる。
【００４３】
そして、Ｌ字状の樋フレーム２ｃが樋となって水を流し、ジョイントＢの通路６ａからホースＣを介して、パイプハウスの谷部における樋Ｄに排水する。
【００４４】
なお、図１，図３および図４の状態では第一の蟻溝フレーム２と樋フレーム２Ｃが、上方になって使用されている場合を示しているが、逆にこれらが下方になって使用される場合には、第二の蟻溝フレーム３が、シート５の内面に結露した水滴を回収、排水する樋として使用されることは、既述の通りであり、容易に理解できよう。
【００４５】
即ち、第一の蟻溝フレーム２にシート５が定着され、そのシート５の内側に第二の蟻溝フレーム３が樋として存在するから、シート５に結露した水滴は、第二の蟻溝フレーム３のシート支持片３ｂによって形成された樋の中を伝ってジョイント本体７に回収される。
【００４６】
なお、樋フレームは、断面Ｌ状に形成されているが、水平フレームあるいは傾斜フレームでもよい。
【００４７】
さらに、本発明は、上記実施形態に限定されるものではなく、本発明の技術的思想の範囲内で、適宜変更して実施することができるものである。
【００４８】
【発明の効果】
以上述べたように、本発明には次の効果がある。
【００４９】
請求項１に記載の発明にあっては、第一の蟻溝フレームの水平な底部の背面または背面近傍に第二の蟻溝フレームとは逆方向に起立する樋フレームを形成し、この樋フレームをシート内面に結露した水滴を回収する樋として使用するようにしたから、この種のシートの定着装置を、アーチパイプのゆるやかな傾斜面、例えば、屋根面において、第一の蟻溝フレームを上方側配置した状態で使用した場合でも、シート内面に結露した水滴を確実に回収することができる。
【００５０】
しかも、同一のシートの定着装置を逆に使用したときには第二の蟻溝フレームが樋として使用できる。
【００５１】
従って、シート定着装置の配置状態に関係無く結露水を回収でき、アーチパイプの右側傾斜面でも左側傾斜面でも、共通に使用することができるようになる。
【００５２】
請求項２に記載の発明にあっては、隣接する二つの定着装置に形成された第一の蟻溝フレーム側の樋フレームまたは第二の蟻溝フレームを、シート内面に結露した水滴を回収する樋として使用出来る共に、ジョイントを介して長手方向にシート定着装置を連設出来、且つジョイントに設けた通路を介して回収した水滴を確実に所定に場所に排水することができる。
【００５３】
従って、育成する植物に悪影響を与えず、シートを汚すことがなく、かつシートの劣化を招くようなこともなくなる。
【００５４】
さらに、排水がハウスの内に散乱することがなく、水捌けの点でも好ましい。
【００５５】
各請求項の発明によれば第一の蟻溝フレームの下部両側に第二の蟻溝フレームと樋フレームが設けられているので第一の蟻溝フレーム内に定着されているシートの一部が紐取付用のフック金具でこすれて破断し、この破断部分から雨水等が漏れてもこの雨水等は第一の蟻溝フレーム又は樋フレームで回収できる。
【００５６】
同じく、第一の蟻溝フレームにフック金具を介してシート押え用の紐を取付た状態で第二の蟻溝フレームに換気用のシートの端部を取り付けた場合、紐の位置が第二の蟻溝フレームよりかなり高い位置にあり、その結果紐からの押圧力の影響受けることなく、シートの他端をロール状巻き付けたパイプをスムースに回転出来、換気操作を容易にすることが出来る。
【図面の簡単な説明】
【図１】本発明に係るシート定着装置の要部断面図である。
【図２】本発明に係るシート定着装置の斜視図である。
【図３】本発明に係るシート定着装置とジョイントを用いた結露回収装置の拡大斜視図である。
【図４】本発明に係るシート定着装置とジョイントを用いた結露回収装置をパイプハウスに取り付けた状態の斜視図である。
【符号の説明】
１  アーチパイプ
２  第一の蟻溝フレーム
３  第二の蟻溝フレーム
２ａ、３ａ  水平な底部
２ｂ、３ｂ  シート支持片
２ｃ  樋フレーム
４  係止線条
５  シート
７  ジョイント本体
９，１０  抱持部
１１，１２  開口部
１５  紐
１６  固定部
１８  換気用のパイプ
Ａ  シートの定着装置
Ｂ  ジョイント
【図１】
0003807722.tif 000002
【図２】
0003807722.tif 000003
【図３】
0003807722.tif 000004
【図４】
0003807722.tif 000005